(57)【要約】【課題】  携帯電話機の通話者の方向への電波の放射特性をヌルにして、人体による不整合損および誘電体損を生じることなくアンテナ放射効率を向上することができる携帯電話機用ループアンテナおよび携帯電話機を提供する。【解決手段】  携帯電話機の受話器のある前面（ＹＺ面）と略平行な携帯電話機内部の面内（他のＹＺ面）でループ形状をなすループアンテナ１０１を備える。このループアンテナ１０１は、線路１、給電点２から構成される。この線路１の線路長の中点３と給電点２を結ぶ対称線４を中心にして、左右線対称に線路１が配置される。また、線路１の全長（給電点２から１周した長さ）は、所定の周波数の２波長分の長さであり、中点３は、給電点２から１波長離れた部分である。【選択図】  図２
2005203877.tif 000002
【特許請求の範囲】
【請求項１】
筐体と、
前記筐体の第１の面に配置される受話器と、
前記筐体に内蔵され、前記第１の面に略平行な第２の面内で、対称線によって略左右対称のループ形状をなす線路からなる２波長ループアンテナと、
前記対称線と前記ループ形状との１交点の近傍に配置され、前記ループアンテナに給電する給電点と、
を具備することを特徴とする無線通信端末。
【請求項２】
筐体と、
前記筐体の第１の面に配置される受話器と、
前記筐体に内蔵され、前記第１の面に略平行な第２の面内で、対称線によって略左右対称のループ形状をなす線路からなる２波長ループアンテナと、
前記対称線と前記ループ形状との１交点の近傍に配置され、前記ループアンテナの端点に給電する給電点と、
前記１交点の近傍に配置され、前記ループアンテナの他の端点に接続する地板と、
を具備することを特徴とする無線通信端末。
【請求項３】
前記ループアンテナの左右の線路上の前記対称線により略対称となる位置に、各線路長を等価的に１波長とする小型手段を具備することを特徴とする請求項１又は２に記載の無線通信端末。
【請求項４】
前記小型化手段は、メアンダ形状の線路、ヘリカル構造の線路、又は、誘電体であることを特徴とする請求項３に記載の無線通信端末。
【請求項５】
前記ループアンテナの左右の線路を前記対称線により略対称となる位置で短絡する短絡線路を具備することを特徴とする請求項１、２又は３に記載の無線通信端末。
【請求項６】
前記短絡線路上に小型化手段を具備することを特徴とする請求項５に記載の無線通信端末。
【請求項７】
前記ループアンテナの左右の線路上の前記対称線により略対称となる各２点間に、短絡線路を具備することを特徴とする請求項１又は２に記載の無線通信端末。
【請求項８】
前記給電点の近傍に前記対称線により略対称に配置される無給電素子を具備することを特徴とする請求項１又は２に記載の無線通信端末。
【請求項９】
筐体と、
前記筐体の第１の面に配置される受話器と、
前記筐体に内蔵され、前記第１の面に略平行な第２の面内で、対称線によって略左右対称のループ形状をなす線路からなる２波長ループアンテナと、
略４分の１波長の奇数倍の長さを有し、一端が前記線路の１点と電磁結合された給電線路と、
前記給電線路の他端に接続され給電する給電点とを具備し、
前記対称線と前記ループ形状との１交点から前記電磁結合箇所を経由して前記給電点までの距離が略２分の１波長の整数倍であることを特徴とする無線通信端末。
【発明の詳細な説明】
【技術分野】
【０００１】
本発明は、無線通信端末に関するもので、特に、無線通信端末本体に内蔵することができるループアンテナ搭載の無線通信端末に関する。
【背景技術】
【０００２】
放射電波の指向特性を制御したループアンテナがある（例えば、特許文献１参照。）。この特許文献１のループアンテナにあっては、ループアンテナの面に対して垂直方向に所定の距離離れた位置に、ループアンテナの面と平行な面の導波板を備えている。そして、ループアンテナの面に対して垂直方向に電波の放射特性の指向性を有しており、特に、導波板の方向への放射特性を最大にしている。これにより、パラボラアンテナの一次放射器としてのループアンテナが得られている。
【特許文献１】特開２００１−２３７６３７号公報（第３〜４頁、図１、図２）
【発明の開示】
【発明が解決しようとする課題】
【０００３】
携帯電話機にループアンテナを使用する場合、波長から決まるループアンテナの線路長は相当大きくなる。このループアンテナを携帯電話機に内蔵するために、携帯電話機の受話器のある前面とループアンテナの面とが平行になるように構成して、ループアンテナの線路長を確保する。
【０００４】
ところで、このような構成の携帯電話機に、従来の特許文献１に開示されたループアンテナを搭載した場合、ループアンテナの面に対して垂直方向、すなわち、携帯電話機の通話者の方向に対して放射エネルギーが生じる。そのため、人体による不整合損および誘電体損を生じて、アンテナ放射効率の低下を起こしてしまうという問題がある。
【０００５】
本発明は、上記の問題点を解決するためになされたもので、通話者の方向を避けて放射指向性を形成するループアンテナを提供し、更に小型のループアンテナを提供することを目的とする。
【課題を解決するための手段】
【０００６】
上記目的を達成するために、本発明の無線通信端末は、筐体と、前記筐体の第１の面に配置される受話器と、前記筐体に内蔵され、前記第１の面に略平行な第２の面内で、対称線によって略左右対称のループ形状をなす線路からなる２波長ループアンテナと、前記対称線と前記ループ形状との１交点の近傍に配置され、前記ループアンテナに給電する給電点と、を具備することを特徴とする。
【０００７】
また、本発明の無線通信端末は、筐体と、前記筐体の第１の面に配置される受話器と、前記筐体に内蔵され、前記第１の面に略平行な第２の面内で、対称線によって略左右対称のループ形状をなす線路からなる２波長ループアンテナと、前記対称線と前記ループ形状との１交点の近傍に配置され、前記ループアンテナの端点に給電する給電点と、前記１交点の近傍に配置され、前記ループアンテナの他の端点に接続する地板と、を具備することを特徴とする。
【発明の効果】
【０００８】
本発明によれば、ループアンテナの面に対して垂直方向、すなわち、携帯電話機の通話者の方向の放射特性がヌルになり、人体による不整合損および誘電体損を生じることなく、通話時のアンテナ放射効率の向上が可能となる。また、ループアンテナの小型化が可能となる。
【発明を実施するための最良の形態】
【０００９】
以下、本発明の実施例を、図面を参照して説明する。  
図１は、本発明の各実施例に係る携帯電話機の構成を説明する図である。図中の「前」「後」「左」「右」「上」「下」は方向を意味し、「前」をＸ軸のプラス方向、「右」をＹ軸のプラス方向、「上」をＺ軸のプラス方向として定義する。携帯電話機の前面２００の上部には受話器２０１があり、下部には送話器２０２がある。通話時には、受話器２０１に通話者の耳が押し当てられる。「前」は、通話時の通話者の方向でもある。
【００１０】
携帯電話機の内部には、前面２００（ＹＺ面）と略平行な面内（他のＹＺ面）でループ形状をなすループアンテナ１００を備える。このループアンテナ１００は、ループ状の線路１と、線路１の下部に給電点２を備える。
【実施例１】
【００１１】
図２〜図５は、本発明を携帯電話機用のループアンテナに適用した実施例１を示し、図２はループアンテナの構成を説明する図、図３は、ループアンテナの動作原理を説明する図、図４は、ループアンテナの電磁界の放射パターン図、図５は、給電点から見たＶＳＷＲ（Ｖｏｌｔａｇｅ  Ｓｔａｎｄｉｎｇ  Ｗａｖｅ  Ｒａｔｉｏ）を説明する図である。
【００１２】
図２は、ループアンテナの構成を説明する図である。ループアンテナ１０１は、線路１、給電点２から構成される。この線路１の線路長の中点３と給電点２を結ぶ対称線４を中心にして、左右線対称に線路１が配置される。また、線路１の全長（給電点２から１周した長さ）は、所定の周波数の２波長分の長さであり、中点３は、給電点２から１波長離れた部分である。
【００１３】
なお、この中点３、対称線４は、ループアンテナ等の構成要素の形状または位置関係を表現するための幾何学的概念であって、本発明を構成する有体物ではない（以下においても同様とする）。また、この発明において「平行」という用語は、厳密に「平行」状態ではなくても、その目的を達して課題の解決に寄与する程度に略「平行」であるといえる場合を含むものである。また、「線対称」、「１波長」、「同一平面内」等の用語についても同様である。図中の「前」「後」「左」「右」「上」「下」は、図１と同じである。
【００１４】
図３は、ループアンテナ１０１（図２）の動作原理を説明する図である。給電点２から線路１に給電することにより、駆動電流が最大となるポイントは、給電点２、および給電点２から２分の１波長ずつ離れたポイントＰ１、Ｐ２、Ｐ３となる。そして、線路１の各部に駆動電流ベクトルが生じる。線路１の右辺部分には、マイナスＺ方向の駆動電流ベクトル１ａ、１ｂが生じ、線路１の左辺部分には、プラスＺ方向の駆動電流ベクトル１ｃ、１ｄが生じる。また、線路１の上辺部分には、マイナスＹ方向の駆動電流ベクトル１ｅ、１ｆが生じ、線路１の下辺部分には、プラスＹ方向の駆動電流ベクトル１ｇ、１ｈが生じる。ここで、各駆動電流ベクトルは、対称線４を中心にして左右を見ると、互いが逆相となる。
【００１５】
図４は、駆動電流ベクトル（図３）により生じるＸＹ面の電磁界の放射パターンのシミュレーションの一例を示す図である。各駆動電流ベクトルが対称線４を中心に左右対称で逆相であるために、合成された放射パターンは、左右の中心付近で前後方向がくびれた（ヌルが形成された）形になる。この「前」方向は、通話者の方向である。
【００１６】
図５は、給電点２（図２）から見たＶＳＷＲを説明する図である。線路１の長さによって定まる共振点１個を有する単峰性の周波数特性を示すものとなる。
【００１７】
本発明の実施例１によれば、ループアンテナの面に対して垂直方向、すなわち、携帯電話機の通話者の方向の放射特性がヌルになり、人体による不整合損および誘電体損を生じることなく、アンテナ放射効率の向上が可能となる。
【実施例２】
【００１８】
図６〜図９は、本発明を携帯電話機用のループアンテナに適用した実施例２を示し、図６はループアンテナの構成を説明する図、図７は、その具体的な構成を説明する図、図８は、他の具体的な構成を説明する図、図９は、更に他の具体的な構成を説明する図である。
【００１９】
図６は、ループアンテナの構成を説明する図であり、実施例１のループアンテナ（図２）と同じ箇所には同じ番号を付して、異なるところを中心に、実施例２の動作を説明する。ループアンテナ１０２の線路１は、線路１の右辺部分に小型化手段５を備える。また、これと線対称に、線路１の左辺部分に小型化手段６を備える。ここで、小型化手段５および小型化手段６は、メアンダ（ジグザグ）、螺旋（ヘリカル）等の線路形状、又は誘電体素子等を搭載することによって、機械的寸法以上の電気的線路長を有する素子である。線路１の電気的線路長の全長（給電点２から１周した長さ）は、所定の周波数の２波長分の長さであり、中点３は、給電点２から１波長離れた部分である。
【００２０】
従って、ループアンテナ１０２の特性は、実施例１と同様である。また、等価な電気的線路長で小さなループアンテナ１０２を構成することができて、携帯電話機のサイズをより小さくすることができる。
【００２１】
図７は、小型化手段５および小型化手段６の具体的な形状の例を示したものであり、ループアンテナ１０２ａは、メアンダ形状の線路形状の小型化手段５ａおよび小型化手段６ａを備える。  
図８は、小型化手段５および小型化手段６の他の具体的な形状の例を示したものであり、ループアンテナ１０２ｂは、ヘリカル形状の線路形状の小型化手段５ｂおよび小型化手段６ｂを備える。  
図９は、小型化手段５および小型化手段６の他の具体的な形状の例を示したものであり、ループアンテナ１０２ｃは、誘電体素子の小型化手段５ｃおよび小型化手段６ｃを備える。
【００２２】
本発明の実施例２によれば、携帯電話機の通話者の方向の放射特性がヌルになり、人体による不整合損および誘電体損を生じることなく、アンテナ放射効率の向上が可能となると共に、小型のループアンテナおよび小型の携帯電話機を提供することができる。
【実施例３】
【００２３】
図１０〜図１１は、本発明を携帯電話機用のループアンテナに適用した実施例３を示し、図１０は、ループアンテナの構成を説明する斜視図、図１１は、ループアンテナの他の構成を説明する図である。
【００２４】
図１０は、ループアンテナの構成を説明する斜視図であり、実施例１のループアンテナ（図２）と同じ箇所には同じ番号を付して、異なるところを中心に、実施例３の動作を説明する。ループアンテナ１０３は、線路１の上片部を、右片部と左片部のそれぞれ上片側で下方向に折り曲げた構成とする。また、線路１の下片部を、右片部と左片部のそれぞれ下片側で上方向に折り曲げた構成とする。線路１の線路長の全長（給電点２から１周した長さ）は、所定の周波数の２波長分の長さであり、中点３は、給電点２から１波長離れた部分である。
【００２５】
図１１は、ループアンテナの他の構成を説明する図であり、実施例１のループアンテナ（図２）と同じ箇所には同じ番号を付して、異なるところを中心に、実施例３の動作を説明する。ループアンテナ１０４は、線路１の上片部を直線ではなく、左右対称に折り返し構造とする。また、線路１の下片部も直線ではなく、左右対称に折り返し構造とする。線路１の線路長の全長（給電点２から１周した長さ）は、所定の周波数の２波長分の長さであり、中点３は、給電点２から１波長離れた部分である。なお、折り返し構造は、図１１に限らず、左右対称の折り返し構造であればよい。
【００２６】
本発明の実施例３によれば、線路１の一部を折り曲げることにより、線路１の線路長を確保したまま、ループアンテナ全体の寸法を小さくすることができる。同じ線路長であり、また左右対称であるため、ループアンテナ１０４の特性は、実施例１と同様である。また、同じ線路長で小さなループアンテナ１０４を構成することができて、携帯電話機のサイズをより小さくすることができる。
【実施例４】
【００２７】
図１２は、本発明を携帯電話機用のループアンテナに適用した実施例４を示し、ループアンテナの構成を説明する図である。実施例１のループアンテナ（図２）と同じ箇所には同じ番号を付して、異なるところを中心に、実施例４の動作を説明する。ループアンテナ１０５は、線路１の一端は地板７に短絡され、他の一端は給電点２に接続される。この地板７への短絡箇所と給電点２は、対称線４の近傍に配置し、線路１の線路長として２波長分を確保すると共に、左右の対称性を確保する。
【００２８】
線路１の一端は地板７に短絡されるため、ループアンテナは不平衡型となる。一般に給電点２に接続される携帯電話機本体側の送信受信回路（図示せず）は、不平衡型が使用される。この場合、不平衡型のループアンテナと不平衡型の送信受信回路とは、不平衡−平衡変換をすることなく、不平衡のまま、直接に接続することができる。
【００２９】
本発明の実施例４によれば、不平衡−平衡変換回路（図示せず）でのロスがなくなり、放射効率を向上することができる。
【実施例５】
【００３０】
図１３〜図１４は、本発明を携帯電話機用のループアンテナに適用した実施例５を示し、図１３はループアンテナの構成を説明する図、図１４は、給電点から見たＶＳＷＲを説明する図である。
【００３１】
図１３は、ループアンテナの構成を説明する図であり、実施例１のループアンテナ（図２）と同じ箇所には同じ番号を付して、異なるところを中心に、実施例５の動作を説明する。ループアンテナ１０６は、線路１のループの途中に、線路１の右片部と左片部間を左右方向に短絡する短絡素子８を備える。これにより、給電点２を経由した外側の線路長の長いループと給電点２を経由した内側の線路長の短いループの２つのループができて、それぞれの共振周波数は異なる。
【００３２】
図１４は、ループアンテナ１０６（図１３）の給電点から見たＶＳＷＲを説明する図である。外側の線路長の長いループに対応する共振周波数の共振点と、内側の線路長の短いループに対応する共振周波数の共振点の２つの共振周波数を有する。
【００３３】
本発明の実施例５によれば、２つの共振周波数を有するので、例えば、２つの周波数のデュアルモードの携帯電話機に使用することができる。
【実施例６】
【００３４】
図１５〜図１８は、本発明を携帯電話機用のループアンテナに適用した実施例６を示し、図１５はループアンテナの構成を説明する図、図１６は、その具体的な構成を説明する図、図１７は、他の具体的な構成を説明する図、図１８は、更に他の具体的な構成を説明する図である。
【００３５】
図１５は、ループアンテナの構成を説明する図であり、実施例５のループアンテナ（図１３）と同じ箇所には同じ番号を付して、異なるところを中心に、実施例６の動作を説明する。ループアンテナ１０７は、線路１の右片部と左片部間を左右方向に短絡する短絡素子として、小型化手段９を対称線４上に備える。ここで、小型化手段９は、メアンダ（ジグザグ）、螺旋（ヘリカル）等の線路形状、又は誘電体素子等を搭載することによって、機械的寸法以上の電気的線路長を有する素子である。
【００３６】
従って、実施例５に示した２つの共振周波数の一つを調整可能とすることができる。
【００３７】
図１６は、小型化手段の具体的な形状の例を示したものであり、ループアンテナ１０７ａは、メアンダ形状の線路形状の小型化手段９ａを備える。  
図１７は、小型化手段の他の具体的な形状の例を示したものであり、ループアンテナ１０７ｂは、ヘリカル形状の線路形状の小型化手段９ｂを備える。  
図１８は、小型化手段の他の具体的な形状の例を示したものであり、ループアンテナ１０７ｃは、誘電体素子の小型化手段９ｃを備える。
【００３８】
本発明の実施例６によれば、２つの共振周波数を有するので、例えば、２つの周波数のデュアルモードの携帯電話機に使用することができると共に、短絡素子部分を小型化手段により小さくすることができる。
【実施例７】
【００３９】
図１９は、本発明を携帯電話機用のループアンテナに適用した実施例７を示し、ループアンテナの構成を説明する斜視図である。実施例５のループアンテナ（図１３）と同じ箇所には同じ番号を付して、異なるところを中心に、実施例７の動作を説明する。ループアンテナ１０８は、線路１の上片部を、右片部と左片部のそれぞれ上片側で下方向に折り曲げた構成とする。また、線路１の下片部を、右片部と左片部のそれぞれ下片側で上方向に折り曲げた構成とする。
【００４０】
本発明の実施例７によれば、２つの共振周波数を有するので、例えば、２つの周波数のデュアルモードの携帯電話機に使用することができる。また、小型化手段を用いなくても、線路１の一部を折り曲げることにより、線路１の線路長を確保したまま、ループアンテナ全体の寸法を小さくすることができ、小型のループアンテナおよび小型の携帯電話機を提供することができる。
【実施例８】
【００４１】
図２０〜図２２は、本発明を携帯電話機用のループアンテナに適用した実施例８を示し、図２０はループアンテナの構成を説明する図、図２１は、給電点から見たＶＳＷＲを説明する図、図２２はループアンテナの他の構成を説明する図である。
【００４２】
図２０は、ループアンテナの構成を説明する図であり、実施例５のループアンテナ（図１３）と同じ箇所には同じ番号を付して、異なるところを中心に、実施例８の動作を説明する。ループアンテナ１０９は、線路１のループの途中に、４個の短絡素子１０を、はすかい状に備える。これにより、外側の線路長の長いループと内側の線路長の短いループの２つのループができるが、線路長にそれほど大きな差はないために、それぞれの共振周波数は近接している。
【００４３】
図２１は、ループアンテナ１０９（図２０）の給電点２から見たＶＳＷＲを説明する図である。外側の線路長の長いループに対応する共振周波数と、内側の線路長の短いループに対応する共振周波数が近接しているために、２つが合成されて広帯域の周波数特性となる。実施例１のＶＳＷＲを説明する図（図５）と比べて、広帯域の周波数特性になっている。
【００４４】
図２２は、ループアンテナの他の構成を説明する斜視図であり、当該実施例８のループアンテナ１０９（図２０）と同じ箇所には同じ番号を付して、異なるところを中心に、実施例８の構成を説明する。ループアンテナ１１０は、線路１の上片部を、右片部と左片部のそれぞれ上片側で下方向に折り曲げた構成とする。また、線路１の下片部を、右片部と左片部のそれぞれ下片側で上方向に折り曲げた構成とする。
【００４５】
本発明の実施例８によれば、２つの共振周波数が近接しているため、広帯域化を行うことができる。また、線路１の一部を折り曲げることにより、線路１の線路長を確保したまま、ループアンテナ全体の寸法を小さくすることができ、小型のループアンテナおよび小型の携帯電話機を提供することができる。
【実施例９】
【００４６】
図２３は、本発明を携帯電話機用のループアンテナに適用した実施例９を示し、ループアンテナの構成を説明する図である。実施例５のループアンテナ（図１３）と同じ箇所には同じ番号を付して、異なるところを中心に、実施例９の動作を説明する。ループアンテナ１１１は、短絡素子は設けない。替わりに、無給電素子１１を線路１の外側に線路１の下片部と平行に備える。無給電素子１１の線路長は、線路１の共振周波数とは異なる所望の共振周波数の略２分の１波長である。無給電素子１１の線路長が線路１の下片部の長さを超える場合は、無給電素子１１の両端部を上方向に折り曲げる。
【００４７】
これにより、給電点から見たＶＳＷＲは、実施例５のＶＳＷＲ（図１４）に示したと同じように、異なる共振周波数が発生する。  
なお、無給電素子１１を線路１の外側ではなく、点線で示したように無給電素子１１ａを線路１の内側に配置しても、同様の特性となる。  
本発明の実施例９によれば、２つの共振周波数を有するので、例えば、２つの周波数のデュアルモードの携帯電話機に使用することができる。
【実施例１０】
【００４８】
図２４〜図２５は、本発明を携帯電話機用のループアンテナに適用した実施例１０を示し、図２４は、ループアンテナの構成を説明する図、図２５は、ループアンテナの他の構成を説明する図である。
【００４９】
図２４は、ループアンテナの構成を説明する図であり、実施例１のループアンテナ（図２）と同じ箇所には同じ番号を付して、異なるところを中心に、実施例１０の動作を説明する。給電点から直接に線路１に給電することができないような携帯電話機の構造上の制約がある場合、ループアンテナ１１２は、線路１の外部の例えば印刷基板１３に給電点２を備え、この給電点２に接続された給電線路１２を備える。そして、給電線路の先端部と線路１とは電磁結合される。この例は、給電点２は、線路１の右片部の下方延長上の印刷基板１３に配置した例であり、給電線路１２の長さは、線路１の共振周波数の略４分の１波長の奇数倍である。また、線路１と対称線４の交点であるポイントＰ０から、電磁結合箇所を経由して給電点までの距離が、略２分の１波長の整数倍である。
【００５０】
次に動作を説明する。給電点２から給電線路１２を経て、線路１に給電することにより、駆動電流が最大となるポイントは、給電点２、および給電点２から２分の１波長ずつ離れたポイントＰ０、Ｐ１、Ｐ２、Ｐ３となる。これは、実施例１の駆動電流最大ポイント（図３）と同じであり、これと同様の駆動電流ベクトルが生じて、左右対称の電流分布となり、通話者の方向の放射特性をヌルにすることができる。
【００５１】
本発明の実施例１０によれば、携帯電話機の構造上の制約がある場合でも、給電点を自由に配置することができ、設計の自由度が上がる。
【実施例１１】
【００５２】
図２５は、本発明を携帯電話機用のループアンテナに適用した実施例１１を示し、ループアンテナの構成を説明する図である。実施例１のループアンテナ（図２）と同じ箇所には同じ番号を付して、異なるところを中心に、実施例１１の動作を説明する。
【００５３】
ループアンテナ１１３は、対称線上の給電点２とは別の位置、例えば、線路１の右辺部と下片部の接続点に給電点１４を備える。そして、両給電点はスイッチ１５により切り換えられる。このスイッチ１５はＲＦ回路１６に接続される。
【００５４】
次に動作を説明する。スイッチ１５により、対称線上の給電点２が選択されている場合、実施例１と同じ左右対称な駆動電流ベクトル（図３）が生じる。そして、ループアンテナの面に対して垂直方向、すなわち、携帯電話機の通話者の方向の放射特性がヌルになる。
【００５５】
スイッチ１５により、給電点１４が選択されている場合、給電点１４を含む対角線（図示せず）を中心線として線対称な駆動電流ベクトルが生じる。この駆動電流ベクトルによる放射特性は、実施例１の駆動電流ベクトル（図３）とは異なるものとなる。
【００５６】
このように、給電点を複数備えて、スイッチで切り換えることにより、放射特性を切り換えて、所望の指向性を選択することができる。
【００５７】
なお、スイッチ１５を削除して、給電点２用の専用のＲＦ回路（図示せず）と給電点１４用の専用のＲＦ回路（図示せず）を備えることもできる。その場合、それぞれを離れた周波数で共振させて多共振化や、それぞれを近傍の周波数で共振させて広帯域化を行うことができる。
【実施例１２】
【００５８】
図２６は、本発明を携帯電話機用のループアンテナに適用した実施例１２を示し、ループアンテナの構成を説明する図である。実施例１２では、複数、例えば３個のループアンテナ１１４ａ、１１４ｂ、１１４ｃを備え、それぞれに線路と給電点を備える。そして、それぞれに、ＲＦ回路１７ａ〜１７ｃとＡＤ変換器１８ａ〜１８ｃが接続される。ＡＤ変換器１８ａ〜１８ｃには共通の信号処理部１９が接続される。
【００５９】
次に動作を説明する。各ループアンテナの駆動電流は大きさが制御されて、放射特性の大きさが異なる。この異なる複数個の放射特性が合成されて、複数のループアンテナ全体の指向性を変えることができる。又は、各ループアンテナ相互間の配置を変えることにより、複数個の放射特性が合成されて、複数のループアンテナ全体の指向性を変えることができる。また、各ループアンテナそれぞれを離れた周波数で共振させて多共振化や、それぞれを近傍の周波数で共振させて広帯域化を行うことができる。
【実施例１３】
【００６０】
図２７は、本発明を携帯電話機用のループアンテナに適用した実施例１３を示し、ループアンテナの構成と動作原理を説明する図である。実施例１のループアンテナ（図２、図３）と同じ箇所には同じ番号を付して、異なるところを中心に、実施例１３の動作を説明する。
【００６１】
ループアンテナ１１５の線路１は、ＹＺ面において、右上部と左下部を４分の１波長斜めに突出した形状とし、右辺部、左辺部、上辺部、下辺部は、それぞれ４分の１波長の線路長である。線路１の全長は、２波長分の長さ（４分の１波長の８個分）である。給電点２は、線路１の右辺部と下片部の接続点に配置される。
【００６２】
給電点２の対角線上にあるポイントＰ３と給電点２間の線路長は、右側、左側共に１波長分の長さとなる。給電点２とポイントＰ３を結ぶ対称線４を軸にして見ると、線対称に線路１は配置される。
【００６３】
駆動電流ベクトルは、給電点２を中心にして、反時計方向に、駆動電流ベクトル１ｈ、１ｂ、１ａ、１ｆ、１ｅ、１ｃ、１ｄ、１ｇが発生する。これは、実施例１の駆動電流ベクトル（図３）における給電点２と駆動電流ベクトルの関係のまま、シフトしたものとなる。
【００６４】
この場合、Ｚ軸を中心に左右を見ると、駆動電流ベクトル１ｈと１ｅは、互いが逆相となる。ゆえに、ＸＹ面の電磁界の放射パターンは、実施例１の放射パターン（図４）と同じように、左右の中心付近で前後方向がくびれたヌルが形成される。
【００６５】
実施例１３によれば、ループアンテナの面に対して垂直方向、すなわち、携帯電話機の通話者の方向の放射特性がヌルになり、人体による不整合損および誘電体損を生じることなく、アンテナ放射効率の向上が可能となる。
【００６６】
なお、本発明の各実施例については、それぞれを単独に説明したが、各実施例を組み合わせた構成として動作させてもよい。また、携帯電話機の場合について説明したが、ＰＤＡなどの無線通信端末にも適用できる。
【図面の簡単な説明】
【００６７】
【図１】本発明の各実施例に係る携帯電話機の構成を説明する図。
【図２】本発明の実施例１に係るループアンテナの構成を説明する図。
【図３】本発明の実施例１に係るループアンテナの動作原理を説明する図。
【図４】本発明の実施例１に係るループアンテナの電磁界の放射パターン図。
【図５】本発明の実施例１に係るループアンテナのＶＳＷＲを説明する図。
【図６】本発明の実施例２に係るループアンテナの構成を説明する図。
【図７】本発明の実施例２に係るループアンテナの具体的な構成を説明する図。
【図８】本発明の実施例２に係るループアンテナの他の具体的な構成を説明する図。
【図９】本発明の実施例２に係るループアンテナの更に他の具体的な構成を説明する図。
【図１０】本発明の実施例３に係るループアンテナの構成を説明する斜視図。
【図１１】本発明の実施例３に係るループアンテナの他の構成を説明する図。
【図１２】本発明の実施例４に係るループアンテナの構成を説明する図。
【図１３】本発明の実施例５に係るループアンテナの構成を説明する図。
【図１４】本発明の実施例５に係るループアンテナのＶＳＷＲを説明する図。
【図１５】本発明の実施例６に係るループアンテナの構成を説明する図。
【図１６】本発明の実施例６に係るループアンテナの具体的な構成を説明する図。
【図１７】本発明の実施例６に係るループアンテナの他の具体的な構成を説明する図。
【図１８】本発明の実施例６に係るループアンテナの更に他の具体的な構成を説明する図。
【図１９】本発明の実施例７に係るループアンテナの構成を説明する斜視図。
【図２０】本発明の実施例８に係るループアンテナの構成を説明する図。
【図２１】本発明の実施例８に係るループアンテナのＶＳＷＲを説明する図。
【図２２】本発明の実施例８に係るループアンテナの他の構成を説明する斜視図。
【図２３】本発明の実施例９に係るループアンテナの構成を説明する図。
【図２４】本発明の実施例１０に係るループアンテナの構成を説明する図。
【図２５】本発明の実施例１１に係るループアンテナの構成を説明する図。
【図２６】本発明の実施例１２に係るループアンテナの構成を説明する図。
【図２７】本発明の実施例１３に係るループアンテナの構成と動作原理を説明する図。
【符号の説明】
【００６８】
１  線路
２  給電点
３  中点
４  対称線
５、５ａ、５ｂ、５ｃ  小型化手段
６、６ａ、６ｂ、６ｃ  小型化手段
７  地板
８  短絡素子
９、９ａ、９ｂ、９ｃ  小型化手段
１０  短絡素子
１１  無給電素子
１２  給電線路
１３  印刷基板
１４  給電点
１５  スイッチ
１６  ＲＦ回路
１７ａ、１７ｂ、１７ｃ  給電点
１８ａ、１８ｂ、１８ｃ  Ａ／Ｄ変換器
１９  信号処理回路
１００〜１１３、１１４ａ、１１４ｂ、１１４ｃ、１１５  ループアンテナ
２００  携帯電話機の前面
２０１  受話器
２０２  送話器
【図１】
2005203877.tif 000003
【図２】
2005203877.tif 000004
【図３】
2005203877.tif 000005
【図４】
2005203877.tif 000006
【図５】
2005203877.tif 000007
【図６】
2005203877.tif 000008
【図７】
2005203877.tif 000009
【図８】
2005203877.tif 000010
【図９】
2005203877.tif 000011
【図１０】
2005203877.tif 000012
【図１１】
2005203877.tif 000013
【図１２】
2005203877.tif 000014
【図１３】
2005203877.tif 000015
【図１４】
2005203877.tif 000016
【図１５】
2005203877.tif 000017
【図１６】
2005203877.tif 000018
【図１７】
2005203877.tif 000019
【図１８】
2005203877.tif 000020
【図１９】
2005203877.tif 000021
【図２０】
2005203877.tif 000022
【図２１】
2005203877.tif 000023
【図２２】
2005203877.tif 000024
【図２３】
2005203877.tif 000025
【図２４】
2005203877.tif 000026
【図２５】
2005203877.tif 000027
【図２６】
2005203877.tif 000028
【図２７】
2005203877.tif 000029